(57)【要約】【課題】サイズ調整可能であって、一見してサイズ調整のための止着テープの外形輪郭をはっきりと視認されることのないパンツ型の着用物品の提供。【解決手段】一方のウエスト域１５は、少なくとも横方向へ伸縮可能な弾性を有し、着衣対向面には複数のギャザー４０が形成されており、サイズ調整手段１２は、長さ方向と、前記着衣対向面に固定された近位部５５と、前記長さ方向において前記近位部の反対側に位置し、止着及び摘持可能な遠位部５６を有する止着テープ５０と、止着テープ５０のうちの少なくとも近位部５５を被覆する被覆部６７と、止着テープ５０の遠位部５６が通過可能な自由縁とを有するカバー部材５１とを備える。被覆部６７は、少なくとも前記横方向へ伸縮可能な弾性を有し、その外面には複数のギャザー７０が形成されている。【選択図】図１
2015188707.tif 000002
【特許請求の範囲】
【請求項１】
縦方向及び横方向と、肌対向面及びその反対側の着衣対向面と、前後ウエスト域と、前記前後ウエスト域間に位置するクロッチ域とを有するシャーシと、前記前後ウエスト域のうちの少なくとも一方のウエスト域に位置するサイズ調整手段とを備えたパンツ型の着用物品において、
前記一方のウエスト域は、少なくとも前記横方向へ伸縮可能な弾性を有し、前記着衣対向面には複数のギャザーが形成されており、
前記サイズ調整手段は、長さ方向と、前記着衣対向面に固定された近位部と、前記長さ方向において前記近位部の反対側に位置し、止着及び摘持可能な遠位部を有する止着テープと、前記止着テープのうちの少なくとも前記近位部を被覆する被覆部と、前記止着テープの前記遠位部が通過可能な自由縁とを有するカバー部材とを備え、
前記被覆部は、少なくとも前記横方向へ伸縮可能な弾性を有し、その外面には複数のギャザーが形成されていることを特徴とする前記着用物品。
【請求項２】
前記止着テープの表面積の約５０％以上が前記被覆部に被覆される請求項１に記載の着用物品。
【請求項３】
前記止着テープは、前記長さ方向において前記近位部と前記遠位部との間に位置する中間部をさらに有し、前記被覆部は、前記止着テープの前記近位部及び前記中間部の全体を被覆する請求項１又は２に記載の着用物品。
【請求項４】
前記カバー部材は、前記着衣対向面に固定された、前記被覆部を囲むシール部を有し、前記シール部を形成する接合部は前記カバー部材の両側縁と重なる請求項１〜３のいずれかに記載の着用物品。
【請求項５】
前記一方のウエスト域と前記被覆部とには、それぞれ、前記横方向へ延びる複数条のストランド状又はストリング状の弾性材料から形成された前ウエスト弾性体とカバー弾性体とが取り付けられる請求項１〜４のいずれかに記載の着用物品。
【請求項６】
前記カバー弾性体どうしの前記縦方向における離間寸法と、前記カバー部材に隣接する前ウエスト弾性体との前記縦方向における離間寸法との差違は、約０〜１０ｍｍである請求項５に記載の着用物品。
【請求項７】
前記止着テープには、前記カバー部材との摩擦抵抗を低減させるための手段が設けられる請求項１〜６のいずれかに記載の着用物品。
【請求項８】
前記被覆部に配置された弾性材料の伸長倍率は、前記一方のウエスト域に配置された弾性材料の伸長倍率の約０．８〜１．２倍の大きさを有する請求項１〜７のいずれかに記載の着用物品。
【請求項９】
前記縦方向の寸法を二等分する横中心線をさらに有し、前記サイズ調整手段は前記横中心線に関して傾斜して配置される請求項１〜８のいずれかに記載の着用物品。
【請求項１０】
前記シール部は、前記カバー部材の前記両側縁及びそれに隣接する前記シャーシの外面に配置されており、前記シール部を形成する複数の接合部は、同一又は相似した形状を有する請求項４〜９のいずれかに記載の着用物品。
【請求項１１】
前記クロッチ域を中心として前記前後ウエスト域に延びる吸液構造体をさらに有し、前記シール部の内端縁は前記吸液構造体の側縁部と平面視において互いに重なって位置する請求項４〜１０のいずれかに記載の着用物品。
【請求項１２】
前記カバー部材を形成するシート部材と前記シャーシの外面を形成するシート部材とが同種類の繊維不織布から形成されており、かつ、その繊維の配向性が一致している請求項１〜１１のいずれかに記載の着用物品。
【発明の詳細な説明】
【技術分野】
【０００１】
本発明は、着用物品に関し、より詳しくは、サイズ調整可能な手段を備えるパンツ型の使い捨ておむつ、使い捨てのトイレット・トレーニングパンツ、使い捨て失禁パンツ、使い捨ての生理用パンツ等のパンツ型の着用物品に関する。
【背景技術】
【０００２】
従来、サイズ調整手段を有するパンツ型の着用物品は公知である。例えば、特許文献１には、前後ウエスト域の両側縁どうしを連結するサイドシームに固定された近位部と、固定部の反対側に位置する遠位部とを有するサイズ調整手段としての止着テープを備えるパンツ型の着用物品が開示されている。特許文献２には、前後ウエスト域のうちの一方のウエスト域のレッグ開口近傍に固定された近位部と、他方のウエスト域の側縁部に止着可能な遠位部とを有するサイズ調整手段としての止着テープを備えるパンツ型の着用物品が開示されている。
【先行技術文献】
【特許文献】
【０００３】
【特許文献１】特許第３７４９２５５号公報
【特許文献２】特開２００５−５８３９６号公報
【発明の概要】
【発明が解決しようとする課題】
【０００４】
特許文献１に開示された発明に係る着用物品では、止着テープの遠位部を一方のウエスト域に向かって引っ張りながらその側縁部に止着することによって、該側縁部にギャザーが形成され、ウエスト域の弛みをなくして寸法が小さくなるように調整され、ウエスト域を着用者の胴回りにフィットさせることができる。一方、特許文献２に開示された発明に係る着用物品では、一方のウエスト域に固定された止着テープの遠位部を引っ張りながら他方のウエスト域の外面に止着することによって、レッグ開口縁部の弛みをなくしてその寸法が小さくなるように調整されて、クロッチ域を着用者の脚回りにフィットさせることができる。
【０００５】
近年、主として高齢者が着用する排泄物処理用の着用物品において、一見して使い捨ておむつとして認識されないような下着のような外観を有する着用物品が好まれる傾向にあるところ、これらいずれの着用物品においても、止着テープの全体が着用物品の外面に露出しており、止着テープを使用していないときであっても止着テープの外形輪郭がはっきりと視認され、外観視において止着テープ付きの使い捨ておむつを着用していることが容易に認識される。
【０００６】
本発明の課題は、サイズ調整可能であって、一見してサイズ調整のための止着テープの外形輪郭をはっきりと視認されることのないパンツ型の着用物品の提供にある。
【課題を解決するための手段】
【０００７】
前記課題を解決するために、本発明は、縦方向及び横方向と、肌対向面及びその反対側の着衣対向面と、前後ウエスト域と、前記前後ウエスト域間に位置するクロッチ域とを有するシャーシと、前記前後ウエスト域のうちの少なくとも一方のウエスト域に位置するサイズ調整手段とを備えたパンツ型の着用物品に関する。
【０００８】
本発明のパンツ型の着用物品は、前記一方のウエスト域は、少なくとも前記横方向へ伸縮可能な弾性を有し、前記着衣対向面には複数のギャザーが形成されており、前記サイズ調整手段は、長さ方向と、前記着衣対向面に固定された近位部と、前記長さ方向において前記近位部の反対側に位置し、止着及び摘持可能な遠位部を有する止着テープと、前記止着テープのうちの少なくとも前記近位部を被覆する被覆部と、前記止着テープの前記遠位部が通過可能な自由縁とを有するカバー部材とを備え、前記被覆部は、少なくとも前記横方向へ伸縮可能な弾性を有し、その外面には複数のギャザーが形成されていることを特徴とする。
【発明の効果】
【０００９】
本発明に係るパンツ型の着用物品によれば、サイズ調整手段を構成する止着テープのうちのシャ―シに固定された少なくとも近位部がカバー部材に被覆されているので、外観視において、テープファスナ付きの着用物品と認識され難くなる。また、ウエスト域には複数のギャザーが形成され、止着テープを覆うカバー部材にも複数のギャザーが形成されているので、着用物品全体が複数のギャザーによる統一感のある外観を有し、サイズ調整手段の外形輪郭が外部からはっきりと認識されることはない。
【図面の簡単な説明】
【００１０】
【図１】本発明に係る使い捨てのパンツ型着用物品の一例として示す、第１実施形態における使い捨ておむつの正面図。
【図２】各弾性体をおむつの前後方向に伸長させた状態における、おむつの一部破断展開図。
【図３】おむつの分解斜視図。
【図４】図１のＩＶで囲んだ拡大図。
【図５】図１のＶ−Ｖ線に沿う模式的断面図。
【図６】止着テープの使用状態の様子を示す図。
【図７】止着テープの変更例の一例における図４と同様の拡大図。
【図８】止着テ―プの他の変更例の一例における図６と同様の図。
【図９】止着テープのさらに他の変更例の一例における、止着テープを被覆部材内から引っ張り出した様子を示す図。
【図１０】止着テープのさらに他の変更例の一例における、使用状態の様子を示す図。
【図１１】おむつの製造工程の一部を示す図。
【発明を実施するための形態】
【００１１】
図１〜３を参照すると、本発明の第１実施形態に係るパンツ型の着用物品の一例である使い捨ておむつ１０は、その幅寸法を二等分する縦中心線Ｐ及びその長さ寸法を二等分する横中心線Ｑと、縦中心線Ｐに沿う縦方向Ｙ及び横中心線Ｑに沿う横方向Ｘとを有し、肌対向面及びそれに対向する着衣対向面とを有するシャーシ１１と、シャーシ１１の着衣対向面に配置されたサイズ調整手段１２とを含む。
【００１２】
シャーシ１１は、縦中心線Ｐに関して対称に形成されており、ウエスト回り方向へ延びる環状の弾性ウエストパネル１３と、弾性ウエストパネル１３の肌対向面側に取り付けられた吸収性パネル１４と、前ウエスト域１５と、後ウエスト域１６と、前ウエスト域１５および後ウエスト域１６の間に位置するクロッチ域１７とを含む。本実施形態において、サイズ調整手段１２は、前ウエスト域１５の両側部１８に配置されている。ただし、前ウエスト域１５の一方側にのみ配置されていてもよし、前ウエスト域１５ではなく後ウエスト域１６やクロッチ域１７に配置されていてもよい。
【００１３】
＜弾性ウエストパネル＞
図２を参照すると、弾性ウエストパネル１３は、前ウエスト域１５に位置する前ウエストパネル２０と、後ウエスト域１６に位置する後ウエストパネル２１とから構成される。前後ウエストパネル２０，２１は、吸収性パネル１４の前後端部１４Ａ，１４Ｂと交差し、横方向Ｘへ延びる中間内端縁２０ａ，２１ａと、縦方向Ｙにおいて中間内端縁２０ａ，２１ａと離間対向して横方向Ｘへ延びる外端縁２０ｂ，２１ｂと、外端縁２０ｂ，２１ｂから下方へ延びる両外側縁２０ｃ，２１ｃと、両外側縁２０ｃ，２１ｃと中間内端縁２０ａ，２１ａとをつなぐ凹曲状の内側縁２０ｄ，２１ｄとによって略台形状に形成される。前ウエストパネル２０の両外側縁２０ｃと後ウエストパネル２１の両外側縁２１ｃとは、互いに重ね合わされて、縦方向Ｙへ断続的に延びるサイドシーム２２によって連結されることによってウエスト開口及び一対のレッグ開口が画定される。サイドシーム２２は、熱又は超音波によるエンボス加工によって互いに重なり合うシートが融着される。
【００１４】
＜前後ウエストパネル＞
図２及び３を参照すると、前後ウエストパネル２０，２１は、肌対向面側に位置する内層シート３０，３１と、着衣対向面側に位置する外層シート３２，３３と、横方向Ｘへ延びる複数条のストリング状又はストランド状の弾性材料から形成され、内外層シート３０，３１，３２，３３の間においてホットメルト接着剤を介して伸長状態で収縮可能に取り付けられた前後ウエスト弾性体３４，３５とを有する。前ウエスト弾性体３４は、外端縁２０ｂに沿って配設された第１前ウエスト弾性体３４Ａと、第１前ウエスト弾性体３４Ａの下方に位置し、かつ、横方向Ｘにおいて離間対向する第２前ウエスト弾性体３４Ｂと、第２前ウエスト弾性体３４Ｂの下方において、第２前ウエスト弾性体３４Ｂ間の離間部分に配置された第３前ウエスト弾性体３４Ｃとを有する。第３前ウエスト弾性体３４Ｃの配置領域は、前ウエスト域１５の他の領域に比して複数条の弾性材料が集中して配置されており、高弾性域３６が形成される。第３前ウエスト弾性体３４Ｃは、第２前ウエスト弾性体３４Ｂの内端部よりも横方向Ｘの内側へ位置しており、第２前ウエスト弾性体３４Ｂの上側部分の内端部間及び第３前ウエスト弾性体３４Ｃの内端部間には、各弾性体が配設されていない非弾性域が画定される。
【００１５】
後ウエスト弾性体３５は、外端縁２１ｂに沿って延びる第１後ウエスト弾性体３５Ａと、第１後ウエスト弾性体３５Ａの下方に位置する第２後ウエスト弾性体３５Ｂと、両外側縁２１ｃ間において第２後ウエスト弾性体３５Ｂと交差して内側縁２１ｄに沿って凹曲状に延びる第３後ウエスト弾性体３５Ｃとから構成される。後ウエストパネル２１の中央部には第２及び第３後ウエスト弾性体３５Ｂ，３５Ｃが配設されておらず、各弾性体が配設されていない非弾性域が画定される。
【００１６】
前後ウエストパネル２０，２１を構成する各種のシート、すなわち、内外層シート３０，３１，３２，３３は、質量約１５〜３０ｇ／ｍ２の疎水性のスパンボンド不織布またはＳＭＳ（スパンボンド・メルトブローン・スパンボンド）繊維布、プラスチックフィルム又はそれら不織布の少なくとも一つとのラミネートシート等から形成することができる。互いに積層されたシートは、少なくともいずれか一方の内面に間欠的に塗布されたホットメルト接着剤又は熱溶着手段によって接合される。
【００１７】
第１前後ウエスト弾性体３４Ａ，３５Ａ及び第３前ウエスト弾性体３４Ｃは、繊度が約３５０〜１２５０ｄｔｅｘであって、収縮または弛緩された状態から約１．８〜３．５倍に伸長されたストリング状またはストランド状の弾性材料から形成することができる。第２前後ウエスト弾性体３４Ｂ，３５Ｂ及び第３後ウエスト弾性体３５Ｃは、繊度が約３５０〜９５０ｄｔｅｘであって、収縮または弛緩された状態から約１．８〜３．５倍に伸長されたストリング状またはストランド状の弾性材料から形成することができる。ただし、各弾性体の繊度や伸長倍率は所要の収縮力や伸長応力に応じて適宜変更することができる。シャーシ１１全体に前後ウエスト弾性体３４，３５が配置されることによって、その外面には複数のギャザー４０が形成され、全体としてギャザーリングされている。
【００１８】
＜吸収性パネル＞
図２を参照すると、吸収性パネル１４は、縦長の略矩形状であって、前ウエストパネル２０の肌対向面と連結された前端部１４Ａと、後ウエストパネル２１の肌対向面と連結された後端部１４Ｂと、前後端部１４Ａ，１４Ｂ間において縦方向Ｙへ延び、クロッチ域１７の一部を形成する中間部１４Ｃとを有する。
【００１９】
図２及び３を参照すると、吸収性パネル１４は、肌対向面側に位置する透液性の身体側ライナ４１と、着衣対向面側に位置する不透液性の被覆シート４２と、それらの間に介在されたパッド状の吸液性を有する吸液構造体４３とを含む。身体側ライナ４１は、例えば、質量約１５〜２５ｇ／ｍ２の親水化処理されたスパンボンド繊維不織布、ＳＭＳ繊維不織布、エアースルー繊維不織布等から形成することができる。被覆シート４２は、質量約１５〜３０ｇ／ｍ２の疎水性のＳＭＳ繊維不織布やスパンボンド不織布等から形成される。被覆シート４２と吸液構造体４３との間には、質量約１０〜２５ｇ／ｍ２の通気性を有するプラスチックフィルムから形成された実質的に不透液性の防漏シート４４が配置される。
【００２０】
被覆シート４２の両側部４２Ａは、その一部が内方へ向かって折り曲げられてその前後端部と吸収性パネル１４の外側縁に沿う近位縁部とが固定されており、両側部４２Ａの近位縁部とそれに対向する被覆シート４２との間には、縦方向Ｙへ延びる、繊度が約３５０〜９００ｄｔｅｘであって、収縮または弛緩された状態から約１．８〜３．０倍に伸長された複数条のストリング状又はストランド状の弾性材料から形成されたレッグ弾性体４５が配置される。該両側部４２Ａの内側縁側にはスリーブ状の遠位縁部が形成されており、遠位縁部内には、ストリング状又はストランド状の弾性材料から形成されたカフ弾性体４６が配置される。
【００２１】
吸液構造体４３は、フラッフ木材パルプや超吸収性ポリマー粒子等の吸収性材料から形成された吸液性コアと、吸液性コア全体を包被する質量約１０〜２０ｇ／ｍ２のティッシュペーパ等から形成された透液性のコアラップシートとを有する。
【００２２】
＜サイズ調整手段＞
図４及び５を参照すると、サイズ調整手段１２は、止着テープ５０とその全体を被覆するカバー部材５１とから構成される。止着テープ５０は、公知の繊維不織布、例えば、質量が約２０〜１００ｇ／ｍ２、好ましくは、約４０〜８０ｇ／ｍ２のスパンボンド繊維不織布から形成される。止着テープ５０は、おむつ１０の外面と対向する内面５３及びその反対側の外面５４と、長さ方向及び幅方向を有し、長さ方向において互いに対向する内外端縁５０ａ，５０ｂと胴周り方向へ延びる両側縁５０ｃと、前ウエスト域１５の両側縁部においてサイドシーム２２を介して固定された近位部５５と、その長さ方向において近位部５５の反対側に位置する遠位部５６と、近位部５５と遠位部５６との間に位置する中間部５７とを含む。遠位部５６はその内面５３に位置する矩形の止着域６０と、止着域６０から内端縁５０ａ側に延びる摘持部６１とを有する。
【００２３】
止着域６０は、メカニカルファスナのフック要素から形成され、前後ウエスト域１５，１６の外面を形成する繊維不織布製の外層シート３２，３３に止着することができる。止着域６０は、感圧性接着剤から形成することもできる。止着テープ５０の位置する遠位部５６が内面５３に向かって折り曲げられることによって、止着域６０は中間部５７に止着される。図５において、折り曲げられる前（又は展開したとき）の遠位部５６の態様を仮想線で示す。また、遠位部５６を折曲せず、止着域６０を前ウエスト域１５の外面に直接止着してもよいし、おむつ１０の製造工程中において止着域６０の位置する部分を前ウエスト域１５の外面にヒートシール等によって仮止めしてもよい。このように止着域６０を止着又は仮止めすることによって、例えば、サイズ調整手段１２の未使用時に、カバー部材５１から遠位部５６が露出した状態において、止着域６０が着用者の身体が触れて刺激を与えたりするおそれはなく、また、止着テープ５０がおむつ１０の搬送中や着用中にカバー部材５１の被覆部６７から不意に外部に飛び出すように露出されるのを防止することができる。
【００２４】
カバー部材５１は、公知の繊維不織布、例えば、質量が約１０〜４０ｇ／ｍ２、好ましくは、約１５〜３０ｇ／ｍ２のスパンボンド繊維不織布、ＳＭＳ繊維不織布やエアースルー繊維不織布から形成された内外層シート６３，６４と、内外層シート６３，６４間に取り付けられたカバー弾性体６５とを有する。カバー弾性体６５は、カバー部材５１の長さ方向へ延びる、繊度が約３５０〜９５０ｄｔｅｘであって、収縮又は弛緩した状態から約１．５〜３．０倍に伸長された複数条のストリング状又はストランド状の弾性材料から形成される。内外層シート６３，６４は一体又は別体のシート部材から形成される。
【００２５】
カバー部材５１は、サイドシーム２２において止着テープ５０の外端縁５０ｂとともに固定された外端縁（固定縁）５１ｂと、外端縁５１ｂと横方向Ｘにおいて離間対向する凹曲状の内端縁（自由縁）５１ａと、互いに縦方向Ｙにおいて離間対向して横方向Ｘへ延びる両側縁５１ｃとによって画定された横長矩形状を有する。カバー部材５１は、さらに、外端縁５１ｂ及び両側縁５１ｃに沿ってコ字状に延びる、熱溶着手段によってシャーシ１１に接合されたシール部（サイドシーム２２を含む）６６と、シール部６６間に囲まれたシャーシ１１に固着されていない被覆部６７とを有する。被覆部６７には、カバー弾性体６５の収縮によって形成された複数のギャザー７０が形成される。止着テープ５０の摘持部６１は、操作者が摘持可能に内端縁５１ａから外方へ露出する。
【００２６】
被覆部６７に位置するカバー弾性体６５間の離間寸法（ピッチ）Ｒ１は、約１０〜３０ｍｍである。被覆部６７は第２前ウエスト弾性体３４Ｂの存在領域に配置されており、カバー部材５１の側縁５１ｃ近傍に位置する第２前ウエスト弾性体３４Ｂとそれに近接するカバー弾性体６５との離間寸法（ピッチ）Ｒ２は約１０〜３０ｍｍである。離間寸法Ｒ１と離間寸法Ｒ２との差異を約０〜１０ｍｍとする場合には、第２前ウエスト弾性体３４Ｂとカバー弾性体６５との離間部分に形成されるギャザー４０と、カバー弾性体６５間の離間部分に形成されるギャザー７０とが、縦方向Ｙにおいて外観上ほぼ同じような大きさになる。
【００２７】
図４及び５を参照すると、止着テープ５０の長さ寸法（横方向Ｘの寸法）Ｌ１は約１２０〜２４０ｍｍ、幅寸法（縦方向Ｙの寸法）Ｗ１は約１５〜４０ｍｍであって、カバー部材５１の長さ寸法（横方向Ｘの寸法）Ｌ２は約１２０〜２４０ｍｍ、幅寸法（縦方向Ｙの寸法）Ｗ２は約４０〜８０ｍｍである。止着テープ５０とカバー部材５１とはその長さ寸法Ｌ１，Ｌ２がほぼ等しく止着テープ５０のほぼ全体が被覆部６７に被覆されるところ、カバー部材５１の被覆部６７にはギャザー７０が形成されて収縮してその長さ寸法が縮められるので、止着テープ５０の一部がカバー部材５１から露出する。該露出した部分を摘んで内方へ引っ張ることによって、止着テープ５０をカバー部材５１の内側から容易に引っ張り出すことができる。
【００２８】
このように、止着テープ５０のほぼ全体がカバー部材５１の被覆部６７に覆われていることによって、止着テープ５０の外形が外部に現れず、おむつ１０は外観視においてテープ付の使い捨ておむつと認識され難く、いわゆる下着らしい印象を着用者に与えることができる。ただし、止着テープ５０の外形全体が露出していない限りにおいて、おむつ１０がテープ付の使い捨ておむつと認識されることはないので、少なくとも近位部５５が被覆されていればよい。すなわち、止着テープ５０の少なくとも近位部５５が被覆部６７によって被覆されており、中間部５７の一部及び遠位部５６全体が被覆部６７から露出していたとしても、止着テープ５０全体の外形輪郭が露出していないので、外観視において着用物品１０がパンツ型おむつではなく、テープ付きの使い捨ておむつと認識されることはない。また、少なくとも近位部５５が被覆されることによって、止着テープ５０全体の長さ寸法を外部から把握することができず、止着テープ５０が比較的に大きな長さ寸法を有するものであっても、その存在が目立つことはない。
【００２９】
具体的には、サイズ調整手段１２の未使用時、すなわち、おむつ１０の自然状態（例えば、おむつをパッケージから取り出して、温度２０℃、湿度６０％ＨＲの雰囲気下にて６０分放置した状態）において、止着テープ５０の表面積全体のうちの約５０％以上がカバー部材５１の被覆部６７に被覆されていることが好ましい。かかる場合には、止着テープ５０の一部が露出していたとしても、その存在をはっきりと認識されることはないからである。一方、止着テープ５０の表面積の約５０％以上が露出した状態では、おむつ１０の外観上の統一感が損なわれ、止着テープ５０が目立ってテープファスナ付きの使い捨ておむつとして瞬時に認識されるおそれがある。
【００３０】
また、止着テープ５０全体をカバー部材５１で被覆したとしても、シャーシ１１に取り付けられたカバー部材５１の外形輪郭がはっきりと現れる場合には、おむつ１０が止着テープ付きの使い捨ておむつと認識されるおそれがある。特に、サイズ調整手段１２の外面を形成する被覆部６７にギャザー７０が形成されていない場合には、前ウエスト弾性体３４の収縮によっておむつ１０全体に形成されるギャザーリングが局所的に無くなる（途切れる）ことになり、外面においてサイズ調整手段１２の存在をはっきりと視認されるおそれがある。本実施形態の場合には、シャーシ１１のうちの少なくともサイズ調整手段１２が配置された前ウエスト域１５全体に前ウエスト弾性体３４の収縮作用による複数のギャザー４０が形成されており、また、カバー部材５１の被覆部６７には、カバー弾性体６５の収縮作用によって生じた複数のギャザー７０が形成されるので、シャーシ１１とカバー部材５１とが統一感のある外観を有し、一見してサイズ調整手段（カバー部材）付きの使い捨ておむつとして認識されることはない。
【００３１】
また、既述のとおり、第２前ウエスト弾性体３４Ｂとカバー弾性体６５との離間部分に形成されるギャザー４０の縦方向Ｙにおける大きさと、カバー弾性体６５間の離間部分に形成されるギャザー７０の縦方向Ｙにおける大きさいとがほぼ等しくなる場合には、カバー部材５１とシャーシ１１とに連続して同様の大きさのギャザー４０，７０が形成されることになるので、シャーシ１１とカバー部材５１との境界が不明瞭となり、外面視においてカバー部材５１の外形輪郭を明瞭に区別され難くなる。
【００３２】
おむつ１０の外観上の統一感を向上させるために、カバー弾性体６５の伸長倍率を前ウエスト域１５に配置されている前ウエスト弾性体３４の伸長倍率の０．８〜１．２倍とすることが好ましい。かかる場合には、前者の伸長倍率と後者の伸長倍率とにおいて大きな差異はなく、おむつ１０の外面全体に形成されるギャザー４０，７０の大きさが局所的に変化する等して、外観上の統一感が損なわれるおそれはないからである。
【００３３】
このように、おむつ１０の外観視においてカバー部材５１の外形が明瞭に現れないことによって、着用者及び着用補助者は、テープ要素によってサイズ調整が可能な機能を有すると同時に、パンツのような外観の下着を着用しているような感覚でおむつ１０の着用することができる。すなわち、サイズ調整手段１２の存在自体を外観視において分からないようにすることによって、着用者及び着用補助者が、使い捨ておむつを着用しているのではなく、より下着らしいパンツ型の着用物品を着用しているという満足感が得られ、よりアクティブに生活するための精神的なサポートをする役割を果たし得る。
【００３４】
図６を参照してサイズ調整手段１２の使用態様について説明すると、おむつ１０の着用状態において、カバー部材５１の被覆部６７に被覆された又は露出した止着テープ５０の遠位部５６を摘持して、内方へ向かって、すなわち、矢印Ｆ１の方向へ引っ張り、シャーシ１１の外面に止着する。止着テープ５０を引っ張った状態でシャーシ１１の外面に止着することによって、近位部５５の固定されたサイドシーム２２の位置する両側縁部が内方へ引き寄せられ、おむつ１０の胴回り寸法が縮められて、前後ウエスト域１５，１６が着用者の身体によりフィットする。
【００３５】
おむつ１０のレッグ開口縁部が着用者の大腿部に対して比較的に大きい周囲寸法を有する場合、すなわち、レッグ開口縁部の上端縁と大腿部との間に僅かな離間部位（隙間）が形成されている場合には、レッグ開口縁部が着用者の大腿部にフィットせず、排泄物の漏れを誘発する原因となる。特に、着用者の身体の大きさが大小異なる大人用のおむつにおいては、かかる事態が生じ易いが、このようにサイズ調整手段１２によって、前後ウエスト域１５，１６のみならず、レッグ開口のサイズを調整することによって、体液の漏れを防止することができる。ただし、サイズ調整手段１２は、ウエスト回りの寸法を調整するのみにも使用することができ、その場合には、前ウエスト域１５の両側部１８ではなく、前ウエスト域１５又は後ウエスト域１６の中央部寄りに位置していてもよいし、レッグ開口周辺ではなく、ウエスト開口周辺に位置していてもよい。また、サイズ調整手段１２は、サイズ調整が必要な寸法量に合せて、単数又は複数配置されていてもよい。さらに、本実施形態においては、サイズ調整手段１２が横中心線Ｑに関してほぼ並行に配置されているところ、横中心線Ｑと交差するようにそれに傾斜して配置されていてもよい。サイズ調整手段１２が横中心線Ｑに対して斜めに配置される場合であっても、カバー弾性体６５は横方向Ｘへ伸縮する力を発揮しうるので、被覆部６７とおむつ１０の外面とにおいて統一感のあるギャザー４０，７０が形成される。
【００３６】
本実施形態において、カバー部材５１の被覆部６７にはカバー弾性体６５が取り付けられているので、止着テープ５０を矢印Ｆ１の方向へ引っ張ってカバー部材５１から引き出すときに、被覆部６７が収縮してその長さ寸法が縮まるので、引き出し操作の邪魔になり難い。
【００３７】
＜変更例１＞
図７を参照すると、本実施態様においては、カバー部材５１のシール部６６は、サイドシーム２２と重なる端部シール部６６ａと、両側縁５１ｃに沿って横方向Ｘへ延びる側方シール部６６ｂとを有する。端部シール部（サイドシーム２２と同じ）６６ａのシールパターンと側方シール部６６ｂのシールパターンは、複数のドット状のデボスからなる同一形状を有する。これらのシールパターンは、異なるものであってもよいが、外観上の統一感を考慮して同一であることが好ましい。また、側方シール部６６ｂにおいてドット状のデボスは両側縁５１ｃと重なってシャーシ１１にまで延在している。このように、側方シール部６６ｂのシールパターンがカバー部材５１の側縁５１ｃと重なってシャーシ１１へ延在することによって、カバー部材５１とシャーシ１１との境界が不明瞭となるので、カバー部材５１の外形輪郭を不明瞭とさせることができ、おむつ１０の外観全体の統一感を向上させることができる。
【００３８】
また、側方シール部６６ｂにおいてカバー部材５１の側縁５１ｃ上に位置するドット状の接合部の形状（例えば、円形、矩形、星形や幾何図形等）がシャーシ１１の外面に形成されたドット状の接合部と同一又は相似した形状を有することが好ましい。かかる場合には、さらに、シールパターン及びおむつ１０の外観全体の統一感が向上しうることからである。
【００３９】
さらに、カバー部材５１を形成する内外層シート６３，６４のうち少なくとも外層シート６４が、シャーシ１１の外面を形成する外層シート３２,３３と同じ種類の繊維不織布から形成（例えば、両シートともにエアースルー繊維不織布から形成される等）されており、かつ、主たる繊維の配向性が一致（ともに縦方向Ｙ（又は横方向Ｘへ）延びる）していることが好ましい。かかる場合には、シャーシ１１の外面とカバー部材５１の外面とに形成されるギャザー４０，７０の形状や大きさ、シートの風合いや触感をより近似させることができ、おむつ１０の外観全体の統一感をさらに向上させることができるからである。なお、繊維の配向は、以下の測定方法を用いた。なお、繊維の配向性とは、すべての繊維が一方向へ配向されている場合と、繊維がパラレル、ランダムに配向されており割合的に一方向へ配向されている場合とを含む。
【００４０】
＜配向性の測定＞
外層シート３２，３３，６４を縦方向Ｙにおける寸法６０ｍｍ、横方向Ｘにおける寸法１０ｍｍに切断して縦サンプル片とし、また、それらのシートを縦方向Ｙにおける寸法１０ｍｍ、横方向Ｘにおける寸法６０ｍｍに切断し、横サンプル片として、縦サンプル片および横サンプル片の破断強度をそれぞれ測定した。測定は、引っ張り試験機（インストロン社）を用いておこなった。試験機のグリップ間距離を１００ｍｍとし、縦サンプル片および横サンプル片の長手方向の両端部をグリップで挟持し、速度１００ｍｍ／分でサンプル片を引っ張り、破断時における最大強度を測定した。配向性は以下の式で求めた。
シートの破断強度＝横（又は縦）サンプル片の最大破断強度／縦（又は横）サンプル片の最大破断強度×１００
かかる測定によって、例えば、縦サンプル片の最大破断強度が横サンプル片のそれよりも高い場合には繊維が縦方向へ配向されていることが分かるので、各サンプルの破断強度を確認して縦方向又は横方向のいずれに繊維が配向しているのか確認した。
【００４１】
＜変更例２＞
図８は、止着テープ５０の第１実施形態におけるおむつ１０の他の変更例の一例を示す図６と同様の正面図であって、止着テープ５０の外面５４には、シリコンオイル等の潤滑剤が塗布してあり、質量約１５〜２５ｇ／ｍ２のプラスチックフィルムから形成された摩擦抵抗低減手段７２が貼付されている。止着テープ５０には、このようなフィルムの貼付に代えて、カバー部材５１に対しての摩擦抵抗軽減効果を奏することのできる材料、例えば、ポリエチレンやポリプロピレンを主成分とするプラスチックフィルム、表面にフッ素樹脂加工が施されているプラスチックフィルムや繊維不織布等を貼付することができる。また、プラスチックフィルム等の表面に多数の微細隆起部や止着テープ５０の長さ方向へ延びる複数条の隆起部を形成することによって、カバー部材５１との接触面積を小さくすることも止着テープ５０のカバー部材５１に対する摩擦抵抗を低減して滑りを良くするのに有効である。また、摩擦抵抗低減手段７２は、止着テープ５０の外面５４及び／またはカバー部材５１の内面に設けられていてもよいし、止着テープ５０の内面５３に設けてシャーシ１１とカバー部材５１との摩擦抵抗を低減させることもできる。
【００４２】
＜変更例３＞
図９は、止着テープ５０のさらに他の変更例の一例における、止着テープ５０をカバー部材５１内から引っ張り出した様子を示す図、図１０は、止着テープ５０のさらに他の変更例の一例における、使用状態の様子を示す図である。本実施形態における止着テープ５０は、遠位部５６の内面５３ではなく外面５４に止着域６０は位置している。かかる態様を有するサイズ調整手段１２の使用方法を説明すると、まず、操作者が一方の手で摘持部６１を摘持して止着テープ５０を矢印Ｆの方向へ引っ張って止着域６０による止着を解除するとともに、カバー部材５１から引っ張り出し、そのままさらに引っ張ってレッグ開口縁部における弛みをなくしてレッグ開口縁部の内面を着用者の大腿部にフィットさせる（第１ステップ）。図１０を参照すると、次に、止着テープ５０を内方へ引っ張った状態を維持したまま、それを折り返してカバー部材５１の折り返し内端縁（折り返し案内縁部）５０ａを介してウエスト開口側へ向かうＦ２方向へ引っ張って止着域６０を前ウエスト域１５の外面に止着する（第２ステップ）。それにより、前ウエスト域１５の側縁部が内方へ引き寄せられて、カバー部材５１の寸法が縮められた状態となる。折り返す方向は、斜め上方に限らず、１８０度反転させてカバー部材５１の外面に止着域６０を止着してもよいし、斜め下方へ反転させておむつ１０の着衣対向面に止着してもよい。このように、第１ステップの状態を維持するために前ウエスト域１５を他方の手で抑えておく必要はなく、着用者／着用補助者は止着テープ５０を第１ステップ、第２ステップの順に連続して片手で比較的に簡易に操作することができる。
【００４３】
かかる構成において、カバー部材５１のシール部６６の内端縁６６ｃは、吸収性パネル１４の吸液構造体４３の側縁部と着用物品の平面視において重なって位置している。吸液構造体４３は比較的に厚さ寸法が大きく、他のシート部材に比べて剛性が高く（半剛性ともいう）なっており、特にその側縁部が着用者の身体形状に沿わずに隙間が形成され易いところ、シール部６６の内端縁６６ｃが吸液構造体４３と平面視において重なって位置することによって、吸液構造体４３の側縁部の浮き上がりが防止され、着用者の肌に密着させることができる。なお、他の実施形態においても、同様に、シール部６６の内端縁６６ｃが平面視において吸液構造体４３の側縁部と重なって位置することが好ましい。
【００４４】
図１１は、第１実施形態にかかるおむつ１０の製造工程の一部であって、複数のシャーシ１１の基材となる複合パネル１００が機械方向ＭＤへ搬送される。複合パネル１００は、前ウエストパネル２０の基材となる第１複合パネル１０１と、後ウエストパネル２１の基材となる第２複合パネル１０２とを有し、第１複合パネル１０１と第２複合パネル１０２との間において、それらの一方面（複合パネル１００のうちの連続バンド１０５が配置される面の反対側の面）側に固定され、機械方向に断続的に配置される吸収性パネル１４とを有する。第１及び第２複合パネル１０１，１０２の内部には、前後ウエスト弾性体３４，３５に相当する連続弾性体１０３が配設されている。
【００４５】
かかる構成を有する複合パネル１００において、第１複合パネル１０１の他方面側に２つの止着テープ５０の基材となる連続バンド１０５を機械方向ＭＤにおいて断続的に配置する。連続バンド１０５は、中央部及び機械方向ＭＤにおいて互いに対向する両端部１０５ａ，１０５ｂにおいてヒートシール又はホットメルト接着剤等による接合部位１０６において仮止めされる。次に、機械方向ＭＤへ延びる複数条の弾性体１１１を有する弾性シート（２つのカバー部材５１に相当）１１０を連続バンド１０５を被覆するようにして配置する。弾性シート１１０は、機械方向ＭＤに延びる両側縁がヒートエンボス又はホットメルト接着剤等の公知の接合手段１１２によって第１複合パネル１０１に接合される。次に、複合パネル１００の交差方向ＣＤにおける寸法を２等分する折曲ラインＴに沿って連続バンド１０５が外側になるように（吸収性パネル１４の一方面側が互いに向かい合うように）複合パネル１００を２つ折りにして搬送する。２つ折りにした複合パネル１００の重なり合う部分（第１複合パネル１０１と第２複合パネル１０２）は、交差方向ＣＤへ延びる一対の接合ライン１１３によって互いに接合される。次に、接合ライン１１３間において交差方向ＣＤへ延びる切断ライン１０８に沿って複合パネル１００を切断することによって、複数のおむつ１０を連続的に製造することができる。
【００４６】
このように、シャーシ１１の基材となる複合パネル１００に機械方向ＭＤに搬送しながら連続バンド１０５を取り付け、一度の切断工程でサイズ調整手段１２の切断とおむつ１０本体のとの切断を同時に行うことができる。複合パネル１００から切断されたおむつ本体の各々に止着テープとカバー部材とを別途取り付ける場合に比して簡易に製造することができる。また、その製造工程において、連続バンド１０５を中央部及び両端部１０５ａ，１０５ｂによる複数箇所で仮止めすることによって、位置ずれすることなく、スムーズに機械方向ＭＤに搬送することができる。
【００４７】
本発明に係るおむつ１０を構成する各構成材料には、特に記述がなされている場合を除き、この種の分野において通常用いられている、各種の公知の材料を制限なく用いることができる。また、前後ウエスト域１５，１６が別体のシート部材から構成されたものではなく、前後ウエスト域１５，１６とクロッチ域１７とが一体に形成されていてもよい。具体的には、内外層シート３０，３１,３２，３３が、おむつ１０の外形をなす略砂時計状の一枚のシート部材から形成されていてもよい。
【００４８】
以上に記載した本発明に関する開示は、少なくとも下記事項に整理することができる。
縦方向及び横方向と、肌対向面及びその反対側の着衣対向面と、前後ウエスト域と、前記前後ウエスト域間に位置するクロッチ域とを有するシャーシと、前記前後ウエスト域のうちの少なくとも一方のウエスト域に位置するサイズ調整手段とを備えたパンツ型の着用物品において、
前記一方のウエスト域は、少なくとも前記横方向へ伸縮可能な弾性を有し、前記着衣対向面には複数のギャザーが形成されており、
前記サイズ調整手段は、長さ方向と、前記着衣対向面に固定された近位部と、前記長さ方向において前記近位部の反対側に位置し、止着及び摘持可能な遠位部を有する止着テープと、前記止着テープのうちの少なくとも前記近位部を被覆する被覆部と、前記止着テープの前記遠位部が通過可能な自由縁とを有するカバー部材とを備え、
前記被覆部は、少なくとも前記横方向へ伸縮可能な弾性を有し、その外面には複数のギャザーが形成されていることを特徴とする前記着用物品。
【００４９】
上記段落００４８に開示した本発明に係る使い捨て着用物品は、少なくとも下記の実施の形態を含むことができる。
（１）前記止着テープの表面積の約５０％以上が前記被覆部に被覆される。
（２）前記止着テープは、前記長さ方向において前記近位部と前記遠位部との間に位置する中間部をさらに有し、前記被覆部は、前記止着テープの前記近位部及び前記中間部の全体を被覆する。
（３）前記カバー部材は、前記着衣対向面に固定された、前記被覆部を囲むシール部を有し、前記シール部を形成する接合部は前記カバー部材の両側縁と重なる。
（４）前記一方のウエスト域と前記被覆部とには、それぞれ、前記横方向へ延びる複数条のストランド状又はストリング状の弾性材料から形成された前ウエスト弾性体とカバー弾性体とが取り付けられる。
（５）前記カバー弾性体どうしの前記縦方向における離間寸法と、前記カバー部材に隣接する前ウエスト弾性体との前記縦方向における離間寸法との差違は、約０〜１０ｍｍである。
（６）前記止着テープには、前記カバー部材との摩擦抵抗を低減させるための手段が設けられる。
（７）前記被覆部に配置された弾性材料の伸長倍率は、前記一方のウエスト域に配置された弾性材料の伸長倍率の約０．８〜１．２倍の大きさを有する。
（８）前記縦方向の寸法を二等分する横中心線をさらに有し、前記サイズ調整手段は前記横中心線に関して傾斜して配置される。
（９）前記シール部は、前記カバー部材の前記両側縁及びそれに隣接する前記シャーシの外面に配置されており、前記シール部を形成する複数の接合部は、同一又は相似した形状を有する。
（１０）前記クロッチ域を中心として前記前後ウエスト域に延びる吸液構造体をさらに有し、前記シール部の内端縁は前記吸液構造体の側縁部と平面視において互いに重なって位置する。
（１１）前記カバー部材を形成するシート部材と前記シャーシの外面を形成するシート部材とが同種類の繊維不織布から形成されており、かつ、その繊維の配向性が一致している。
【符号の説明】
【００５０】
１０  パンツ型のおむつ（着用物品）
１１  シャーシ
１２  サイズ調整手段
１５  前ウエスト域
１６  後ウエスト域
１７  クロッチ域
３４  前ウエスト弾性体
３４Ｂ  第２前ウエスト弾性体
５０  止着テープ
５１  カバー部材
５１ａ  内側縁（自由縁）
５３    止着テープの内面
５４    止着テープの外面
５５    止着テープの近位部
５６    止着テープの遠位部
５７    止着テープの中間部
６０    止着域
６５    カバー弾性体
７２    摩擦抵抗低減手段
Ｑ      横中心線
Ｘ      横方向
Ｙ      縦方向
Ｒ１    カバー弾性体どうしの縦方向における離間寸法
Ｒ２    カバー弾性体と近接する前ウエスト弾性体との縦方向にける離間寸法
【図１】
2015188707.tif 000003
【図２】
2015188707.tif 000004
【図３】
2015188707.tif 000005
【図４】
2015188707.tif 000006
【図５】
2015188707.tif 000007
【図６】
2015188707.tif 000008
【図７】
2015188707.tif 000009
【図８】
2015188707.tif 000010
【図９】
2015188707.tif 000011
【図１０】
2015188707.tif 000012
【図１１】
2015188707.tif 000013